(57)【要約】【目的】  外枠の下部に横設される下横桟部材の前面部分を前枠の前面に施す意匠に合せて自由にその形状等を選択し飾付け形成できるようにする。【構成】  上下の横枠（３１ａ，３１ｃ）と左右の縦枠（３１ｂ，３１ｄ）によって矩形に形成される外枠（３）の上記下の横枠（３１ｃ）の上部に沿って下横桟部材（３２）を横設し、該下横桟部材（３２）の前面に別体に形成する外枠下カバー（３５）を添わせ、該外枠下カバー（３５）を下横桟部材（３２）に穿つ取付孔（３２２）を介して一体に止着し、下横桟部材（３２）の前面を前枠（２）の前面に合せて飾るようにする。【選択図】        図１４
2004358275.tif 000002
【特許請求の範囲】
【請求項１】
窓部を有した額縁状の前枠の一側を外枠に対して蝶着装置を介して開閉可能に蝶着し、上記窓部の上方部分にはガラスを装着したガラス枠ユニットを開閉可能に軸着し、上記前枠及びガラス枠ユニットを施錠装置で世辞様可能にすると共に、上記ガラス枠ユニットの下方部分には上皿を設けた上受皿ユニットを設け、上記前枠の下方部分には下皿及び打球の飛距離を調整する操作ハンドルを設けた下受皿ユニットを設けたパチンコ機において、
上記前枠は、窓部を有する合成樹脂の枠体からなる前枠基板と、ランプカバーを設けた膨出する機能空間部を形成したガラス枠ユニットと、飾り部材を有する上受皿ユニットと、飾り部材を有する下受皿ユニットと、を構成要素としてなり、
上記ガラス枠ユニットと上受皿ユニットと下受皿ユニットとを、上記ランプカバー及び飾り部材により連続的な統一された意匠となるようにしたことを特徴とするパチンコ機。
【発明の詳細な説明】
【技術分野】
【０００１】
この発明は、パチンコ機に関するものである。
【背景技術】
【０００２】
パチンコ機は、外枠と呼ばれる矩形の枠体の一側に、遊技盤や機構枠等を取り付けた前枠と呼ばれる板状部材の一側を蝶着装置を介して着脱自在且つ回動自在に軸着してある。
そして、この蝶着装置は、外枠と前枠の一側縁を開閉自在に蝶着する上下二組の蝶着体からなり、上蝶着体は上部固定部材に設けた軸受部に、上部回動部材に下向きに設けたピンを軸着し、また下蝶着体は下部固定部材に上向きに設けたピンを、下部回動部材に設けた軸受孔に軸着することにより、これらのピンを支点に前枠を外枠に対して開閉自在に構成している。例えば、特許文献１が挙げられる。
【特許文献１】実開昭６４−２０８８８号公報。
【発明の開示】
【発明が解決しようとする課題】
【０００３】
しかしながら、上記した従来の蝶着装置は、上下のピンをほゞ同時に軸受部及び軸受孔に挿着しなければならず、また軸受部の孔が見難いので、組付作業が困難であった。
一方、パチンコ機の意匠は、パチンコ機の誕生以来ほとんど変化がなく旧態依然としているのが現状である。
本発明は上記に鑑み提案されたもので、自由な意匠のパチンコ機を提供することを目的とする。
【課題を解決するための手段】
【０００４】
上記目的を達成するため本発明は、窓部を有した額縁状の前枠の一側を外枠に対して蝶着装置を介して開閉可能に蝶着し、上記窓部の上方部分にはガラスを装着したガラス枠ユニットを開閉可能に軸着し、上記前枠及びガラス枠ユニットを施錠装置で施錠可能にすると共に、上記ガラス枠ユニットの下方部分には上皿を設けた上受皿ユニットを設け、上記前枠の下方部分には下皿及び打球の飛距離を調整する操作ハンドルを設けた下受皿ユニットを設けたパチンコ機において、
上記前枠は、窓部を有する合成樹脂の枠体からなる前枠基板と、ランプカバーを設けた膨出する機能空間部を形成したガラス枠ユニットと、飾り部材を有する上受皿ユニットと、飾り部材を有する下受皿ユニットと、を構成要素としてなり、
上記ガラス枠ユニットと上受皿ユニットと下受皿ユニットとを、上記ランプカバー及び飾り部材により連続的な統一された意匠となるようにしたパチンコ機を提供することにある。
また本発明は、上述の構成に加えて、前記ランプカバーには、施錠装置を避ける凹陥部を設けたパチンコ機を提供することにある。
【発明の効果】
【０００５】
本発明は、窓部を有した額縁状の前枠の一側を外枠に対して蝶着装置を介して開閉可能に蝶着し、上記窓部の上方部分にはガラスを装着したガラス枠ユニットを開閉可能に軸着し、上記前枠及びガラス枠ユニットを施錠装置で施錠可能にすると共に、上記ガラス枠ユニットの下方部分には上皿を設けた上受皿ユニットを設け、上記前枠の下方部分には下皿及び打球の飛距離を調整する操作ハンドルを設けた下受皿ユニットを設けたパチンコ機において、上記前枠は、窓部を有する合成樹脂製の枠体からなる前枠基板と、ランプカバーを設けた膨出する機能空間部を形成したガラス枠ユニットと、飾り部材を有する上受皿ユニットと、飾り部材を有する下受皿ユニットと、を構成要素としてなり、上記ガラス枠ユニットと上受皿ユニットと下受皿ユニットとを、上記ランプカバー及び各飾り部材により連続的な統一された意匠となるようにしたので、前枠を合成樹脂によって形成することができるばかりではなく、自由な意匠のパチンコ機を提供可能である。
また、合理的な部品構成及び配置によって、組立が容易になると共に作業能率が向上し、しかも日常の点検や部品の交換も容易である。そして、合成樹脂製の前枠によれば、木材の使用量を削減可能であるので自然環境の保護にも寄与することができ、実用的価値が極めて高い。
【発明を実施するための最良の形態】
【０００６】
以下、本発明を図示の一実施形態について説明すると、図１はパチンコ機１の正面図、図２は平面図及び底面図、図３は左側面図及び右側面図、図４は背面図、図５は図１のＡ−Ａ線断面図、図６は図１のＢ−Ｂ線断面図である。
【０００７】
パチンコ機１は、窓部を有した額縁状の前枠２の一側を外枠３に対して蝶着装置４を介して開閉可能に蝶着し、上記窓部の上方部分にはガラスを装着したガラス枠ユニット５を開閉可能に軸着し、上記前枠２及びガラス枠ユニット５を施錠装置６で施錠可能にする。  また、ガラス枠ユニット５の下方部分には上皿７１等を設けた上受皿ユニット７を設け、前枠２の下方部分には下皿８１や打球の飛距離を調整する操作ハンドル８２等を設けた下受皿ユニット８を設ける。
また、上記前枠２の窓部には遊技盤９を後方から臨ませる。この遊技盤９は、後述する機構枠体１０に形成した遊技盤載置台１８の上に載置され、リヤプレート１０１に設けた遊技盤受部材１８１及び遊技盤ロック部材１８２によって両側縁を支持することによって交換自在に取り付けてある。
【０００８】
前枠２の背面側にはリヤプレート１０１等からなる機構枠体１０を設ける。該機構枠体１０には賞球を貯留しておく上タンク１０２及び下タンク１０３、パチンコ機１と外部の電源や管理装置とを接続すると共にパチンコ機内部の遊技制御装置１０４及び本体制御装置１０５並びに諸電気部材を接続する中継装置１０６、入賞口へ入賞した入賞球を処理する入賞球処理装置１０７、該入賞球処理装置１０７からの信号に基づいて所定数の賞球を排出する払出装置１０８等を取り付ける。
また、図示していないセンター役物の後方部分を覆うリヤカバー１１０を装着する。更に、上記リヤプレート１０１には、セーフ球寄せ１７１や球集合部１７２を有するリヤ部材を設けて機構枠体１０を構成する。
【０００９】
本発明に係る蝶着装置４は、上記したように前枠２を外枠３に対して開閉可能に蝶着するためのものであって、その概略は、外枠３と前枠２の一側縁を開閉自在に蝶着する上下２組の蝶着体４０，４１からなり、両蝶着体４０，４１は、外枠３に止着する上固定部材４０ａ及び下固定部材４１ａと、前枠２に止着する上回動部材４０ｂ及び下回動部材４１ｂとを有し、上下蝶着体４０，４１の何れか一方の固定部材、例えば上固定部材４０ａには、縁部に向けて開口する受入溝４０１と上支軸ピン４０２を形成すると共に、上記受入溝４０１に重合可能な係合溝４２１と誘導溝４２２を形成したロック部材４２を、上記上支軸ピン４０２により回動自在に軸着し、上記ロック部材４２と上固定部材４０ａとの間に付勢手段を設けて、当該ロック部材４２を受入溝４０１を封止する方向に付勢し、上記上固定部材４０ａに対応する上回動部材４０ｂには、前枠２の回動支軸４３及びロックピン４４を形成し、前記受入溝４０１と係合溝４２１とにより前記回動支軸４３を回動自在に軸支すると共に、前記誘導溝４２２にはロックピン４４を誘導するようにして、蝶着体４０，４１の他方と共に回動自在に蝶着するものとしてある。
【００１０】
次に、蝶着装置４の詳細を説明すると、図７はこの蝶着装置４の一方を設けた前枠２の正面図及び右側面図であって、図８は蝶着部分の詳細を示し、（Ａ）は図７のＡ部の平面図、（Ｂ）は同上の正面図、（Ｃ）は図７のＢ部の正面図である。また、図９は上蝶着体４０を示し、（Ａ）は上回動部材４０ｂの平面図、（Ｂ）は上固定部材４０ａの平面図であり、図１０は上蝶着体４０の組立図、図１１はロック部材４２を示し、（Ａ）は平面図、（Ｂ）は縦方向の断面図、（Ｃ）は側面図、（Ｄ）は横方向の断面図、（Ｅ）は底面図を示す。そして、図１２はロック部材４２の動作を示す説明図である。
【００１１】
上蝶着体４０は、木材を矩形に枠組してなる外枠３の上横枠３１ａと左縦枠３１ｂとが接合される上側左側縁部分に止着する上固定部材４０ａと、前枠２の上側左側縁部分に止着する上固定部材４０ｂとからなる。
【００１２】
上記上固定部材４０ａは、例えば、図９（Ｂ）に示すように、ほゞＬ字状に屈曲する金属製の部材であって、上面板が外枠３の前縁よりも延出し、後述するロック部材４２を回動自在に軸着するための上支軸ピン４０２及び回動を案内するためのガイドピン４０３が設けてある。
【００１３】
また、上面板の前縁には、後述する前枠２の回動支軸４３を受入れるように、前縁に向けて開口するほゞＵ字状の受入溝４０１を設ける。更に、この蝶着体４０を覆い隠すためのヒンジカバー４５の取付孔４０５及びガイド孔４０６が設けてある。
【００１４】
上記上固定部材４０ａに回動自在に軸着するロック部材４２は、図１１に示すように、ほゞ円盤状の部材であって中央に支持軸孔４２３を有し、上記ガイドピン４０３を遊嵌するガイド長孔４２４を備えると共に、受入溝４０１に対応する鈎状の係合溝４２１を縁部に備えている。尚、係合溝４２１の先端は爪状の係止爪４２５となっている。
【００１５】
また、ロック部材４２には、後述する上回動部材４０ｂに突設するロックピン４４を誘導する誘導溝４２２を弓形に形成すると共に、後述する付勢手段のバネ受ピン４２６を設ける。更に、上記ガイド長孔４２４の一端にストッパ部４２７を形成する。尚、このロック部材４２には、適宜にリブないし厚肉部を設けて所望の高さとしている。
【００１６】
上記のようなロック部材４２は、上固定部材４０ａの上支軸ピン４０２を支持軸孔４２３に挿通すると共に、ガイドピン４０３をガイド長孔４２４に遊嵌している。上記両ピン４０２，４０３は上固定部材４０ａにカシメられている。
【００１７】
そして、このロック部材４２と上固定部材４０ａとの間には、当該ロック部材４２の係止爪４２５で上固定部材４０ａの受入溝４０１を封止する方向に付勢する付勢手段を設ける。この付勢手段は、図示の実施形態によれば、上支軸ピン４０２を中心にすると共に、ガイドピン４０３とバネ受ピン４２６との間に係止させたスプリング４６によって構成してある。
【００１８】
従って、ロック部材４２は、上記スプリング４６の作用によって、図９の矢印Ａ方向に付勢され、通常は、ロック部材４２の係止爪４２５が上固定部材４０ａの受入溝４０１を封止することになる。
【００１９】
前枠２の上端面に止着する上回動部材４０ｂは、前枠２の前端よりも延出した位置に、回動支軸４３を突設すると共に、上記ロック部材４２の誘導溝４２２に陥入するロックピン４４が突設してある。また、図示の実施形態では、ガラス枠ユニット５のスライドピン５５２を挿通する通孔４０７が開設してある。
【００２０】
一方、下蝶着体４１は、前枠２の左側下部に止着する下回動部材４１ｂと、外枠３の左側下部に止着する下固定部材４１ａとからなり、下回動部材４１ｂには下固定部材４１aの下回動支軸を挿通する下軸孔４１１が開設してある。この下軸孔４１１は、上記下回動支軸を挿通し易くするためのテーパー４１１Ａが形成されている。
【００２１】
次に、上記のような構成の蝶着装置４による前枠２の外枠３に対する組付及びその作用を説明する。
【００２２】
組付作業は極めて容易であって、前枠２を適宜な角度開放した状態で、下固定部材４１ａの下回動支軸４１２を、下回動部材４１ｂの下軸孔４１１に挿通すると共に、上回動部材４０ｂの上回動支軸４３を上固定部材４０ａの受入溝４０１に臨ませて、ロック部材４２の係止爪４２５に当接させる。そして、上回動支軸４３を受入溝４０１内に押し込む。すると、係止爪４２５がカム状に作用してロック部材４２がスプリング４６の付勢に抗して図９の矢印Ｂ方向に回動し、上回動支軸４３を受入溝４０１内に受け入れる。この受け入れた状態では、ロック部材４２がスプリング４６の付勢によって矢印Ａ方向に回動して、係止爪４２５が受入溝４０１の入口を封止すると共に、上回動支軸４３が係止爪４２５の内側に係止することになる。即ち、上回動支軸４３も回動自在に軸着される。
【００２３】
上記のような状態では、前枠２が開放したままであるし、ロック部材４２が回動すると、上回動支軸４３が外れて危険である。そこで、本発明の蝶着装置４においては、前枠２を閉止した状態では、ロック部材４２の回動が阻止されるように構成してある。
【００２４】
即ち、前枠２を図９の矢印Ｃ方向に回動させると、上回動部材４０ｂに突設したロックピン４４がロック部材４２の誘導溝４２２に陥入する（図１２参照）。この状態では、ロックピン４４が誘導溝４２２の内壁に当接するので、ロック部材４２は回動できない。
【００２５】
一方、ロックピン４４が誘導溝４２２から外れる位置まで（例えば図１２に破線で示す位置）前枠２を開放すると、ロック部材４２の回動が可能になる。即ち、この状態において、係止爪４２５の基部に設けたロック解除用操作突部４２８を操作して、ロック部材４２を矢印Ｂ方向に回動させれば、受入溝４０１の入口から係止爪４２５が退避するので、上回動支軸４３を外すことができる。
【００２６】
上記のような蝶着装置４によれば、下固定部材４１ａの下回動支軸４１２を下回動部材４１ｂの下軸孔４１１に挿入した状態で、上回動支軸４３を上固定部材４０ａの受入溝４０１に挿入することができ、上下の回動支軸４３，４１２をほゞ同時に軸孔に挿入する必要がなく、組付作業が極めて容易である。また、離脱も極めて容易であって、ロック部材４２を回動させた状態で、前枠２を単に手前へ若干引き出せばよい。従って、従来のように重い前枠２を上方へ持ち上げる必要がない。しかも、上記ロック部材４２は、前枠２を所定の位置まで開放した状態でないと回動できないので、遊技中に誤って操作突部４２８に触れてもロック部材４２が回動しないので上回動支軸４３が離脱することがない。従って、前枠２が外れる恐れがなく安全である。
【００２７】
上記のような蝶着装置４は、図１３以下に説明するようなパチンコ機１に適用できる。即ち、このパチンコ機１は、前枠２が合成樹脂によって形成してあり、外枠３は木材を枠組して形成してある。
【００２８】
外枠３は、所定の大きさの木板からなる上横枠３１ａと左縦枠３１ｂと下横枠 ３１ｃと右横枠３１ｄとを、矩形に枠組して構成する。また、下横枠３１ｃの上面には下横桟部材３２を横架してある。そして、上記上横枠３１ａと左縦枠３１ｂとを接合する上側左側縁部分には上蝶着体４０を構成すると共に補強部材を兼ねる上固定部材４０ａを設ける。
【００２９】
一方、左縦枠３１ｂと下横桟部材３２とが衝接する部分には、下蝶着体４１を構成する下固定部材４１ａを設ける。また、上横枠３１ａと右縦枠３１ｄが衝接する部分の内側、右縦枠３１ｄと下横枠３１ｃが衝接する部分の内側、及び左縦枠３１ｂと下横枠３１ｃが
衝接する部分の内側には、夫々補強金具３３を設ける。また、各枠材３１ａ，３１ｂ，３１ｃ，３１ｄを互いに接続する部分には、ダボ３４が埋め込んである。
【００３０】
下横桟部材３２の前面には後述する外枠下カバー３５の後面に設けたリブ３５１を受け入れる切込溝３２１が適宜間隔で設けてある。また、下横桟部材３２の両側端付近には、上記外枠下カバー３５を止着するための外枠下カバー取付孔３２２が開設してある。
【００３１】
上記下横桟部材３２の上面には、前枠２を開閉するときに、下端面が下横桟部材３２の上端面と摺接するときの摩擦を軽減し、下横桟部材３２の破損を防止する金属製の前枠支持片３２３が適所に止着してある。一方、この前枠支持片３２３に対応する前枠擦れ止め金具３２３Ａが、後述する前枠基板２１の下縁に取り付けてある。
【００３２】
外枠下カバー３５は合成樹脂で一体成型した部材であって、上記下横桟部材３２の前面を覆う。即ち、下受皿ユニット８の下方に位置する装飾部材である。尚、この外枠下カバー３５の一側には、下蝶着体４１を覆うヒンジカバー部３５１Ａが形成してある。
【００３３】
更に、上記各枠材３１ａ，３１ｂ，３１ｃ，３１ｄの所望の部位は、適宜な形状の逃げ部が形成してある。例えば、左縦枠３１ｂは、図６に示すように、前端面側を傾斜状に切り欠いて、前枠２を回動した際の逃げ部３９が形成してある。そして、この逃げ部３９に対応する不正防止突部２１１Ａが前枠基板２１の裏面側に突設してある。
【００３４】
上記のような構成の外枠３に対して開閉可能に蝶着される前枠２は、図１８に示すように、前枠基板２１、ガラス枠ユニット５、上受皿ユニット７、下受皿ユニット８、及び機構枠体１０等を主な構成要素とする。
【００３５】
蝶着装置４を取り付けると共に、ガラス枠ユニット５、上受皿ユニット７、下受皿ユニット８、及び機構枠体１０を取り付ける前枠２のフレームとなる基板２１は、ほゞ矩形の窓部２１０を有する合成樹脂製の額縁状の枠体である。
【００３６】
この前枠基板２１の周縁部には、前面側に向けて起立する不正防止用リブ２１１が設けられ、このリブ２１１の外側に後述するガラス枠ベース本体５１のリブ５１Ｂが重合する。
【００３７】
前枠基板２１の一側には、前記した蝶着装置４の上回動部材４０ｂを上ヒンジ取付板２１２を介して取り付けると共に、下回動部材４１ｂを下ヒンジ取付板２１３を介して取り付ける。
【００３８】
上記窓部２１０の下方の受皿ユニット８に対応する部分には下板部２２を形成する。この下板部２２は、額縁状の前枠基板２１の下方部分を封止しているが、下皿８１に上皿７１から溢れた賞球を誘導する賞球連絡口２２１が開設してある。また、後述する発射装置の打球発射勢を調整するハンドル８２の配線を通す配線挿通孔２２２を計８箇所に開設する。
【００３９】
上記下板部２２の上縁のほゞ中央部分には、賞球払出装置１０８から払い出される賞球の連絡樋２２４を取り付けるための賞球連絡樋取付孔２２５を開設した延出片２２５が設けてある。
【００４０】
前枠基板２１の蝶着側の左縦枠部分２３には、機構枠体１０を構成するリヤプレート１０１の一側を装着するためのリヤプレート挿入溝２３１を形成する。また、この左縦枠部分２３の中段にはガラス枠下ヒンジ部材２３２を設け、該ガラス枠下ヒンジ部材２３２にはガラス枠回動支軸孔２３３を開設する。更にこの左縦枠部分２３には、後述するガラス枠ベース本体５１が回動したときの逃げ部２３Ｃが円弧状に設けてある（図６参照）。
【００４１】
一方、右縦枠部分２４には、ガラス枠施錠装置６１を設ける。このガラス枠施錠装置６１は、上下に後述するガラス枠のロック片が係止するロック部６１１が設けてある。また、上記ロック部６１１を開口するためのロック解除レバー６１２がバネによって付勢された状態で装着してある。
【００４２】
また、この右縦枠部分２４のほゞ中程に開設した開口部２４１には、施錠装置６を構成するシリンダ鍵６２を挿通して装着する。このシリンダ鍵６２は前枠２及びガラス枠を施錠及び解錠するための回動片６２１を備える。そして、上記シリンダ鍵６２の前面には、鍵飾り６３及び鍵飾りカバー６４を設ける。尚、鍵飾り６３の凹溝部６３Ａにガラス枠ベース本体５１のリブ５１Ｂが重合して不正防止を行っている。
【００４３】
更に、右縦枠部分２４の下方部位には、回動可能に軸着した上受皿ユニット７の自由端を受け止める上受皿ユニットロック部材７８を設ける。この上受皿ユニットロック部材７８は、ロック用の孔７８１を開設した金属板であり、取付ネジによって所定の位置に止着してある。
【００４４】
そして、この前枠基板２１の適所には、位置決めボス或いは位置決め孔等の位置決め手段が形成してある。即ち、例えば、図示していないが上横枠部分２５及び右縦枠部分２４の裏面側の適所には、リヤプレート１０１を位置決めするための位置決めボスが突設してある。
【００４５】
上記のような前枠基板２１の裏面側に装着するリヤプレート１０１は、例えば、０．８ミリ厚の鉄板を成型したものであって、一側に上記前枠基板２１に設けたリヤプレート挿入溝２３１に装入する装入片１１１を延設すると共に、対辺側には取付ネジ１２０によって止着するための右装着片１１２を延設する。また、上辺側にも上装着片１１３が延設してある。
【００４６】
上記右装着片１１２は施錠装置６の逃げ部１１４によって上下に分断されている。また、この右装着片１１２及び上装着片１１３の適所には、前記した前枠基板２１に設けた位置決めボスに対応する位置決め孔１１５及び取付ネジ１２０を通すための取付孔１１６が開設してある。
【００４７】
上記のように、リヤプレート１０１の一側に形成した装入片１１１を、前枠基板２１に形成したリヤプレート挿入溝２３１に装入すると共に、他側の装着片１１２，１１３を取付ネジ１２０で取り付けるときは、位置決め及び装着が容易になる。
【００４８】
上受皿ユニット７は、前枠基板２１に対して開閉可能に軸着する。この上受皿ユニット７に上皿７１を形成すると共に、該上皿７１の上流部分に連通する賞球受樋７２を設ける。尚、この賞球受樋７２は、賞球払出装置１０８の賞球排出樋１０９に連絡する。
【００４９】
上受皿ユニット７のベース基板７３の上縁部分には、前面側に向けて開口する不正防止溝７３１が形成してあり、後述するガラス枠ベース本体５１に形成されている不正防止用のリブ５１７Ａが挿入される。また、このベース基板７３には、上記賞球受樋７２から賞球を上皿７１に導入する賞球導入口７３２が設けてある。
【００５０】
上皿７１は、ベース基板７３と一体に形成した前面カバー７１１を有し、この前面カバー７１１には、後述するガラス枠ユニット５に設けたランプカバー５３と連続的な意匠になるような上皿ランプカバー７４及び上皿飾りカバー７４１が設けてある。また、この上皿ランプカバー７１の端部には、上皿７１の貯留球を下皿８１に排出するための球抜きボタン７５が設けてある。
【００５１】
また、前面カバー７１１の上皿７１の下側に位置する部分には、スリット状のスピーカー用開口部７６を形成し、図示していないスピーカーを臨ませ、効果音等を放声する。
【００５２】
更に、ベース基板７３の適所、図示の実施形態によれば、スピーカー用開口部７６の近隣には、タッチスイッチ７７を裏面側からビス止めしてある。このタッチスイッチ７７は、例えば図柄表示装置の回転図柄を停止する場合など、遊技に利用する。
【００５３】
そして、上記ベース基板７３の蝶着部分には、ガラス枠ユニット５に設ける上皿セット用ヒンジピン５６２を挿通する回動支軸孔７３３が設けてある。また一方、自由端側の裏面には、図示していないが、上受皿ユニット開閉部材が設けてある。この上受皿ユニット開閉部材は、上下動可能な係止片を備え、該係止片が上受皿ユニットロック部材７８のロック用の孔７８１に係合する。そして、上記上受皿ユニット開閉部材を押下することによって係合を外せば、上受皿ユニット７を開放することができる。尚、この上受皿ユニット開閉部材は、ガラス枠ユニット５を開放した状態でないと操作することができない。
【００５４】
下受皿ユニット８は、前記した前枠基板２１の下方部分に固定状に止着される。このため、下受皿ユニット８のベース部８３の裏面側には、前記前枠基板２１に設けた下皿取付孔２２３に係合する係合部材を対応位置に設けてある。また、上記上受皿ユニット７を軸着するための回動支軸孔８３１がベース部８３の一側上端面に開設してあり、付勢部材により付勢された上皿セット用ヒンジピン（図示せず）が挿入される。尚、上受皿ユニット７を外す場合は、手動にて上記図示していないヒンジピンを上動して前記回動支軸孔８３１より抜けばよい。
【００５５】
上記ベース部８３には、飛距離調整用のハンドル８２を取り付ける取付部８４が設けてあり、この取付部８４には、配線挿通孔８４１が開設してある。上記ハンドル８２は、打球の飛距離を調整するための可変抵抗器等が収設してあり、抵抗値の変化により打球発射装置のソレノイド１９に供給する電力を調整して飛距離を調整するようになっている。従って、従来のハンドルのように、バネの張力を調整する回動軸等を必要としない。尚、上記ソレノイド１９は、遊技盤載置台１８に止着してある。また、上記ソレノイド１９の発射前方には、遊技盤載置台１８に設けた発射レール１９１が臨んでいる。
【００５６】
下受皿ユニット８のベース部８３には下皿８１を一体に形成する。また、この下皿８１の後壁部分、即ちベース部８３の一部には、当該下皿８１に上皿７１の球を導入するため、前記した賞球連絡口２２１に連通する賞球出口８７が開設してある。更に、この下皿８１の底部には球抜き装置８５を設けて、下皿８１に貯留した球をパチンコ機の下方に載置した球受箱に排出可能とする。尚、球抜き装置８５は球抜きレバー８５１を備えている。
【００５７】
また、下受皿ユニット８には、下皿８１に隣接して灰皿８６が設けてある。そして、この下受皿ユニット８にも、パチンコ機全体として連続した意匠となるような下皿飾りカバー８８が設けてある。
【００５８】
次に、パチンコ機１に特徴的な意匠を与えるガラス枠ユニット５について説明する。このガラス枠ユニット５は、図２１に示すように、ガラス枠ベース本体５１と、ガラスレール枠５２と、ランプカバー５３を主な構成部材とする。
【００５９】
ガラス枠ベース本体５１は、窓部５１１を有する額縁状且つ曲面状に合成樹脂により一体成型された部材であって、上方部分が前方にせり出している。また上記窓部５１１の周囲には、後述するランプ群を収設する機能空間部５１２を形成するように適度に膨出する。また、この機能空間部５１２には、例えば、ランプ孔５１３や係止孔５１４を設ける。また、ランプ開口孔５１５を設けてランプ基板５１６を臨ませる。更に、この機能空間部５１２には、説明していない開口部や取付部が適宜設けてある。そして、ガラス枠ベース本体５１の下縁には、不正防止用の溝及びリブ５１７Ａが形成してある。尚、このガラス枠ベース本体５１の一側には、施錠装置６が臨む凹状空部５１９が設けてある。
【００６０】
また、ガラス枠ベース本体５１の上側一隅には、ガラス枠蝶着部５１７が形成してある。このガラス枠蝶着部５１７には、上ガラス枠ヒンジ５５を装着する。
【００６１】
上ガラス枠ヒンジ５５は、スプリング５５１で付勢されるスライドピン５５２を有すると共に、基板部５５３を備える。この上ガラス枠ヒンジ５５を、ガラス枠ベース本体５１の裏面側に基板部５５３でネジ止めする。すると、上記スライドピン５５２がスプリング５５１の付勢で突出可能となる。
【００６２】
一方、ガラス枠ベース本体５１の下側一隅には、下ガラス枠ヒンジ５６を設ける。このガラス枠ヒンジ５６は、下向に突出する上皿セット用ヒンジピン５６２を備えている。
【００６３】
ガラス枠ベース本体５１の裏面側の適宜位置には、補強リブ５９１が適宜に形成してあり、当該ガラス枠ベース本体５１のねじれ等を防止している。また、上記したように、裏面側にはランプ基板５１６等が爪部材５９２によって止着してある。また、一隅にはランプ基板を兼ねるランプ用中継基板５１６ａが設けてあり、この中継基板５１６ａを介して各ランプの点灯、点滅を制御している。尚、５１６ｂはランプ用中継基板５１６ａに設けられている配線コネクタである。
【００６４】
そして、ガラス枠ベース本体５１の裏面側には、ガラス枠レール５２を回動可能に軸着してある。このため、ガラス枠レール用ヒンジ５８が設けてある。即ち、ガラス枠レール用ヒンジ５８ａは、ヒンジピン５８１を上向きに備える。また、下側のカラス枠レール用ヒンジ５８ｂは、上記下ガラス枠ヒンジ５６と一体に形成してあり、上向きに突出するヒンジピン５６１を備える。
【００６５】
ガラス枠レール５２は、図２３に示すように、正面図の形状がほゞ正方形の金属製の枠体であって、２枚のガラス５０を側方から装着可能なように、一側方が開放すると共に、他側に上記ヒンジ５８ａ及びヒンジ５８ｂに対応するヒンジ片５２１ａ，５２１ｂが設けてある。これらのヒンジ片５２１ａ，５２１ｂは、金属板、例えばステンレス板を屈曲成型したもので、前記ヒンジピン５８１及び５６１に対応するヒンジ孔を有する。そして、上記ヒンジ片５２１ａ，５２１ｂは、同じくステンレス材からなるガラス枠レール本体５２２にスポット溶接してある。
【００６６】
ガラス枠レール本体５２２は、上ガラス枠レール５２２ａ、下ガラス枠レール５２２ｂ、右ガラス枠レール５２２ｃ、左ガラス枠レール５２２ｄを、互いに直角に接合して構成してある。そして、三方のガラス枠レール、即ち上ガラス枠レール５２２ａ、下ガラス枠レール５２２ｂ、右ガラス枠レール５２２ｃは、夫々内向きに２条のガラス装着溝５２３を備えている。また、上下のガラス枠レール５２２ａ、５２２ｂには、一対の弾性片５２４ａ，５２４ｂを有するガラス押圧バネ部材５２４を、夫々一組宛に上記ガラス装着溝５２３内にスポット溶接してある。
【００６７】
一方、左ガラス枠レール５２２ｄは、左側からガラス５０を装着可能なように開放しているため装着溝を備えていない。しかし、このガラス枠レール本体５２２をガラス枠ユニット５のベース本体５１に装着したときに、後述するガラス枠レールロック片５４に係合する係合突部５２５が設けてある。
【００６８】
ガラス枠レールロック片５４は、ガラス枠レール本体５２２に装着したガラス５０が抜け出ないように押えると共に、当該ガラス枠レール本体５２２をガラス枠ベース本体５１に回動可能に装着したときに、回動を停止させるためのものである。
【００６９】
即ち、上記ガラス枠レールロック片５４は、例えば図２４ないし図２７に示すように、ベース本体５１に止着ビス５１０を止着するガラス枠錠受兼ロック片軸受部材５７に回動自在に装着する部材である。このガラス枠レールロック片５４は、胴部５４１の側縁にコ字状に対向する側腕部５４２，５４２の間に、弾性片５４３を延設し、該弾性片５４３の先端部には、前記した左ガラス枠レール５２２ｄに設けた係合突部５２５に嵌合する係合凹部５４４を形成してなる。また、上記一対の側腕部５４２，５４２にはピン孔５４５が開設してある。
【００７０】
一方、上記ガラス枠錠受兼ロック片軸受部材５７は、ガラス枠ベース本体５１に止着する取付基板５７１からストッパ部５７２が延出すると共に、上記ガラス枠レールロック片５４を挿着する支軸ピン５７３が起立している。尚、この支軸ピン５７３は上記取付基板５７１に例えばカシメ手段によって形成してある。また、取付基板５７１には位置決め孔５７４が開設してあり、ガラス枠ベース本体５１の位置決めボス５１８に嵌合する。また、取付基板５７１には、上記止着ビス５１０を通す取付孔５７５が開設してある。
【００７１】
そして、上記ガラス枠レールロック片５４のピン孔５４５に、上記支軸ピン５７３を挿通して先端部にＥリングを装着して、当該ガラス枠レールロック片５４をガラス枠錠受兼ロック片軸受部材５７に回動自在に組み付けてある。
【００７２】
ガラス枠レール５２をガラス枠ベース本体５１の上ヒンジ５８ａ及びヒンジ５８ｂに軸着後、上方への離脱を防止する上動防止部材５８２が止着ビス５８３により取り付けてある。
【００７３】
上記のようなガラス枠レール５２におけるガラス５０の装着は、当該ガラス枠レール５２をガラス枠ベース本体５１からガラス枠ヒンジ５５，５６を支点に回動させた状態において、上記左ガラス枠レール５２２ｄからガラス５０を上下のガラス枠レール５５２ａ，５５２ｂのガラス装着溝５２３に挿入すると共に、右ガラス枠レール５５２ｃのガラス装着溝５２３の底部に当接させる。そして、ガラス枠レール５２を戻り回動させて、図２４に示すようにガラス枠レールロック片５４が回動した状態にあるガラス枠ベース本体５１に、ガラス枠レール５２を戻り回動させて密接させて、ガラス枠レールロック片５４を図２５に示すように回動させる。すると、ガラス枠レールロック片５４に設けた弾性片５４３の先端部の係合凹部５４４が、前記した左ガラス枠レール５２２ｄに設けた係合突部５２５に嵌合して、当該ガラス枠レールロック片５４がロックされると共に、側腕部５４２，５４２の端面５４２Ａが２枚のガラス５０の端面に夫々臨んで、当該ガラス５０がガラス装着溝５２３から抜け出すのを防止する。また、ガラス装着溝５２３に挿入したガラス５０は、ガラス押圧バネ部材５２４によって狭着されている。従って、ガラス５０がガラス枠レール５２から外れる恐れはない。
【００７４】
ガラス枠ベース本体５１の前面側には、ランプカバー５３を設ける。このランプカバー５３は、窓部５１１の上縁に沿って設けた天ランプカバー５３１と、左側縁に沿って設けた左ランプカバー５３２と、右側側縁に沿って設けた右ランプカバー５３３とからなる。また、ランプカバー５３は、上受皿ユニット７の上皿ランプカバー７４及び上皿飾りカバー７４１並びに下受皿ユニット８の下皿飾りカバー８８と連絡して、パチンコ機全体を統一したデザインとしている。
【００７５】
天ランプカバー５３１は、天板部分を構成するカバー体５３１ａと、前面板部分を構成するカバー体５３１ｂと、底板部分を構成するカバー体５３１ｃとからなり、色違いに一体成型してある。
【００７６】
また、右ランプカバー５３３は、中程に施錠装置６を避ける凹陥部５３３ａが形成してあり、この凹陥部５３３ａには、組立状態のとき、前記した鍵飾り６３及び鍵飾りカバー６４が臨む。
【００７７】
上記した天ランプカバー５３１，左ランプカバー５３２，右ランプカバー５３３は、各ランプカバーに設けた係止爪５３１１，５３２１，５３３１を、ガラス枠ベース本体５１に設けた係止孔５１４に係合させることにより取り付けている。
【００７８】
そして、上記各ランプカバー５３１，５３２，５３３とガラス枠ベース本体５１とが形成する機能空間５１２には、ランプ基板５１６に装着したランプＬを配置する。
【００７９】
次に、上記した各部材の組立方法ないし開閉方法の説明を簡単に行う。先ず、ガラス枠レール５２を一側上下に設けたヒンジ片５２１ａ，５２１ｂと上ヒンジ５８ａ及び下ヒンジ５８ｂとを軸着してガラス枠ベース本体５１に対して回動可能とする。また、このガラス枠レール５２を、ガラス枠レールロック片５４の回動によってガラス枠ベース本体５１に対して固定し、ガラス枠ユニット５を構成する。
【００８０】
上記のように構成したガラス枠ユニット５を、一側に設けた上ガラス枠ヒンジ５５のスライドピン５５２、及び下ガラス枠ヒンジ５６のヒンジピン５６２により、前枠基板２１に対して回動自在に軸着する。尚、上記ヒンジピン５６２は上受皿ユニット７の軸着ピンと兼用になっている。
【００８１】
上記ガラス枠ユニット５は、ガラス枠施錠装置６１に設けたロック部６１１に、ガラス枠錠受兼ロック片軸受部材５７のストッパ部５７２が係合してロックされる。一方、上記ロックを解除してガラス枠を開放するには、施錠装置６のシリンダ鍵６２に鍵を差し込んで回動片６２１を回すことにより上記ロック部６１１の係合を解除してもよいし、前枠２が開放された状態にあれば、ロック解除レバー６１２を押下することにより解除できる。尚、このガラス枠ユニット５は、上記ガラス枠ヒンジ５５のスライドピン５５２を下向にスライドさせることにより、前枠基板２１から外すことができる。
【００８２】
上受皿ユニット７は、図示していない下側ヒンジと共に、回動支軸孔７３３にガラス枠ユニット５に設けた上皿セット用ヒンジピン５６２を挿通して前枠基板２１に対して開閉可能に軸着する。一方、自由端側は、図示していない上受皿ユニット開閉部材によってロック可能とする。この上受皿ユニット開閉部材は、上下動可能な係止片を備え、該係止片が上受皿ユニットロック部材７８のロック用の孔７８１に係合する。そして、上記上受皿ユニット開閉部材をガラス枠ユニット５を開放した状態において、押下することによって係合を外せば、上受皿ユニット７を開放することができる。尚、この上受皿ユニット開閉部材は、ガラス枠ユニット５を開放した状態でないと操作することができない。
【００８３】
そして、下受皿ユニット８は、前枠基板２１の下方部分に図示していない係合部材によって固定状に止着される。
【００８４】
上記のようにして組み立てた前枠２を、前記した蝶着装置４によって、外枠３に対して開閉可能に蝶着する。そして、この前枠２は施錠装置６によって施錠可能である。即ち、外枠３の右縦枠３１ｄに設けた前枠ロック金具３８に、前枠２のリヤプレート１０１に設けた連動部材２９の前枠開放レバー２９１の鍵型係合部２９２が係合する。尚、この前枠開放レバー２９１は、施錠装置６に鍵を差し込んで一方へ旋回させたときに、当該連動部材２９が可動して上記係合が外れるように構成してあり、他方へ旋回させたときには、ガラス枠ベース本体５１が開放するように構成してある。
【００８５】
上記のような構成のパチンコ機１によれば、前枠２を合成樹脂によって形成することができるばかりではなく、自由な意匠のパチンコ機を提供可能である。また、合理的な部品構成及び配置によって、組立が容易になると共に作業能率が向上する。しかも、日常の点検や部品の好漢も容易である。そして、上記合成樹脂製の前枠２によれば、木材の使用量を削減可能であるので自然環境の保護にも寄与することができ、実用的価値が極めて高い。
【００８６】
以上本発明を図面の実施形態について説明したが、本発明は上記した実施形態に限定されるものではなく、特許請求の範囲に記載した構成を変更しない限り適宜に実施できる。
以上要するに本発明によれば、窓部を有した額縁状の前枠の一側を外枠に対して蝶着装置を介して開閉可能に蝶着し、上記窓部の上方部分にはガラスを装着したガラス枠ユニットを開閉可能に軸着し、上記前枠及びガラス枠ユニットを施錠装置で施錠可能にすると共に、上記ガラス枠ユニットの下方部分には上皿を設けた上受皿ユニットを設け、上記前枠の下方部分には下皿及び打球の飛距離を調整する操作ハンドルを設けた下受皿ユニットを設けたパチンコ機において、上記前枠は、窓部を有する合成樹脂製の枠体からなる前枠基板と、ランプカバーを設けた膨出する機能空間部を形成したガラス枠ユニットと、飾り部材を有する上受皿ユニットと、飾り部材を有する下受皿ユニットと、を構成要素としてなり、上記ガラス枠ユニットと上受皿ユニットと下受皿ユニットとを、上記ランプカバー及び各飾り部材により連続的な統一された意匠となるようにしたので、前枠を合成樹脂によって形成することができるばかりではなく、自由な意匠のパチンコ機を提供可能である。また、合理的な部品構成及び配置によって、組立が容易になると共に作業能率が向上し、しかも日常の点検や部品の交換も容易である。そして、合成樹脂製の前枠によれば、木材の使用量を削減可能であるので自然環境の保護にも寄与することができ、実用的価値が極めて高い。
【図面の簡単な説明】
【００８７】
【図１】パチンコ機の正面図。
【図２】パチンコ機の平面図及び底面図。
【図３】パチンコ機の左側面図及び右側面図。
【図４】パチンコ機の背面図。
【図５】図１のＡ−Ａ線断面図。
【図６】図１のＢ−Ｂ線断面図。
【図７】前枠の正面図及び右側面図。
【図８】蝶着部分の詳細を示し、図（Ａ）は図７のＡ部の平面図、図（Ｂ）は同上の正面図、図（Ｃ）は図７のＢ部の正面図。
【図９】上蝶着体を示し、図（Ａ）は回動部材の平面図、図（Ｂ）は上固定部材の平面図。
【図１０】上蝶着体の組立図。
【図１１】ロック部材を示し、図（Ａ）は平面図、図（Ｂ）は縦方向の断面図、図（Ｃ）は側面図、図（Ｄ）は横方向の断面図、図（Ｅ）は底面図。
【図１２】ロック部材の動作を示す説明図。
【図１３】パチンコ機の斜視図。
【図１４】パチンコ機の前枠及び外枠の斜視図。
【図１５】外枠の正面図。
【図１６】外枠の右側面図及び左側面図。
【図１７】外枠の平面図及び底面図。
【図１８】前枠の分解斜視図。
【図１９】ガラス枠の正面図及び底面図。
【図２０】ガラス枠の背面図及び一部欠截側面図。
【図２１】ガラス枠ユニットの分解斜視図。
【図２２】図１９のＡ−Ａ線断面図。
【図２３】ガラス枠レールの正面図、左側面図、Ａ−Ａ線端面図、及びガラス押圧バネ部材の斜視図。
【図２４】ガラス枠レールロック片の動作説明図であって、未ロック状態を示す。
【図２５】ガラス枠レールロック片の動作説明図であって、ロック状態を示す。
【図２６】図２５のＡ−Ａ線断面図。
【図２７】ガラス枠レールロック片及びガラス枠錠受兼ロック片軸受部材の斜視図である。
【符号の説明】
【００８８】
１        パチンコ機
２        前枠
３        外枠
４        蝶着装置
５        ガラス枠ユニット
６        施錠装置
７        上受皿ユニット
８        下受皿ユニット
９        遊技盤
１０      機構枠体  
２１      前枠基板
２１０    窓部
５０      ガラス
５１２    機能空間部
５３３ａ  凹陥部
７１      上皿
７１１    前面カバー
７４      上皿ランプカバー
７４１    上皿飾りカバー
８１      下皿
８８      下皿飾りカバー
【図１】
2004358275.tif 000003
【図２】
2004358275.tif 000004
【図３】
2004358275.tif 000005
【図４】
2004358275.tif 000006
【図５】
2004358275.tif 000007
【図６】
2004358275.tif 000008
【図７】
2004358275.tif 000009
【図８】
2004358275.tif 000010
【図９】
2004358275.tif 000011
【図１０】
2004358275.tif 000012
【図１１】
2004358275.tif 000013
【図１２】
2004358275.tif 000014
【図１３】
2004358275.tif 000015
【図１４】
2004358275.tif 000016
【図１５】
2004358275.tif 000017
【図１６】
2004358275.tif 000018
【図１７】
2004358275.tif 000019
【図１８】
2004358275.tif 000020
【図１９】
2004358275.tif 000021
【図２０】
2004358275.tif 000022
【図２１】
2004358275.tif 000023
【図２２】
2004358275.tif 000024
【図２３】
2004358275.tif 000025
【図２４】
2004358275.tif 000026
【図２５】
2004358275.tif 000027
【図２６】
2004358275.tif 000028
【図２７】
2004358275.tif 000029
【手続補正書】
【提出日】平成16年10月25日(2004.10.25)
【手続補正１】
【補正対象書類名】特許請求の範囲
【補正対象項目名】全文
【補正方法】変更
【補正の内容】
【特許請求の範囲】
【請求項１】
上下の横枠と左右の縦枠によって矩形に形成する外枠の前記下の横枠には上面に沿って前記左右の縦枠の間に亘るように下横桟部材を横設し、一方該下横桟部材の前面にはこれとは別体に形成し、且つ背面にリブを突設してなる板状をなす合成樹脂製の外枠下カバーを添わせ、前記下横桟部材に設ける取付孔を介して止着し、前記外枠の下部の前面を前記外枠下カバーによって被い装飾することを特徴としたパチンコ機。
【手続補正２】
【補正対象書類名】明細書
【補正対象項目名】全文
【補正方法】変更
【補正の内容】
【発明の詳細な説明】
【技術分野】
【０００１】
この発明は、パチンコ機に関するものである。
【背景技術】
【０００２】
パチンコ機は、外枠と呼ばれる矩形の枠体の下部を飾る外枠下カバーを装着してなるパチンコ機に関するものである。
周知のように、外枠の下部はこの外枠に蝶着する前枠を閉じたとき、つまり使用状態においては前枠の下方において露出する部分となるが、この下部について一般には上記前枠とは無関係に、つまり前枠に施される模様、色彩等とは関係なく、いずれに対しても調和の取れる色を施し、それぞれデザインを異にした前枠を組合わせても外枠との違和感が生じないようにしているのが普通である。
この従来の手法は、外枠を量産し、個々に設計される前枠に対していずれの場合にも対応できるようしたことによるもので、後から組合される前枠のデザインに影響されることなく広く利用できるようにしたことによっている。
しかし、実際には外枠の下部は前枠と同じくパチンコ機の前面に露出するものであるから、前枠に特定のデザインが施された場合は、このデザインに揃えた模様、色彩とすることが好ましいことは言うまでもない。
【発明の開示】
【発明が解決しようとする課題】
【０００３】
本発明は、上記した従来の事情に鑑み、外枠の下部の前面部分の装飾を、これに組付ける前枠のデザインに合せて自由に選択できるようにして、前枠と共にパチンコ機前面の全体を一つのデザインの中に収められるようにして調和の取れたパチンコ機を提案せんとするものである。
特に、本発明は簡単な組立加工を通して外枠の下部前面の装飾を変えられるようにしてこれに組付けられる前枠に対応させられるようにしたパチンコ機を提供せんとするものである。
【課題を解決するための手段】
【０００４】
上記目的を達成するため本発明は、上下の横枠と左右の縦枠によって矩形に形成する外枠の前記下の横枠には上面に沿って前記左右の縦枠の間に亘るように下横桟部材を横設し、一方該下横桟部材の前面にはこれとは別体に形成し、且つ背面にリブを突設してなる板状をなす合成樹脂製の外枠下カバーを添わせ、前記下横桟部材に設ける取付孔を介して止着し、前記外枠の下部の前面を前記外枠下カバーによって被い装飾することを特徴としたパチンコ機を提供することにある。
【０００５】
前記外枠の下の横枠に沿って左右の縦枠の間に亘る下横桟部材は、外枠を補強するものでもあるが、その全体は使用時における前枠の下方に露出する外枠の下部の全体であってこの前面に止着される前記外枠下カバーはその前面を覆い隠すものとなる。
そして、この外枠下カバーは前記下横桟部材に対してこの下横桟部材に設ける取付孔を通してねじ付けるねじによって固定することができものとなっている。
外枠の製造に当ってはこれに組付けられる前枠が決定した段階で取り付けを行うこととなるが、これにより、前枠のデザインに合わせて外枠下カバーの選択が可能となり、結果的にパチンコ機前面の全体の意匠を一つに揃えることができるものとなるのである。
【０００６】
外枠下カバーの背面に突設する前記リブは、カバーの強度を出すためと、下横桟部材に対する取付強度を出すために作用するものとなる。このリブは前記下横桟部材の前面に形成する切込溝に嵌め合わせにすると強固な結合が得られ、外枠に対する一体化を図る上で有効になる。
このリブは、カバーの周囲に沿って設けられる枠状のリブに対して縦向きにして所要の間隔を置いて複数配置することによって所定の強度を得ることができる。そして、下横桟部材の切込溝との嵌め合わせによって更に安定した強度が得られることになる。
【０００７】
勿論、前記外枠下カバーは、合成樹脂を材料とすることから製造性に優れると共に、これに施すデザインも自由であるので、前枠に施すデザインに合わせることも容易であることは言うまでもない。
【発明の効果】
【０００８】
従って、上述構成される本発明は、外枠の下部の前面に前枠の前面に施される意匠に合わせた外枠下カバーを装着することができるため、パチンコ機全体のデザインを一つに揃えた統一性のあるパチンコ機を提供することがでることになる。
また、前記外枠下カバーは外枠に対する取付けが容易であって、しかも強固に止着できることから外部からの衝撃によって破損することもなく安全に使用できる利点がある。  
しかも、外枠自体は従来と同様に予め量産しておくことが可能であり、前枠のデザインに揃えて外枠下カバーを選択し取付けられるので、実質的にコスト高になることなく製造できる利点がある。
【発明を実施するための最良の形態】
【０００９】
以下、本発明を図示の一実施形態について説明すると、図１はパチンコ機１の正面図、図２は平面図及び底面図、図３は左側面図及び右側面図、図４は背面図、図５は図１のＡ−Ａ線断面図、図６は図１のＢ−Ｂ線断面図である。
【００１０】
パチンコ機１は、窓部を有した額縁状の前枠２の一側を外枠３に対して蝶着装置４を介して開閉可能に蝶着し、上記窓部の上方部分にはガラスを装着したガラス枠ユニット５を開閉可能に軸着し、上記前枠２及びガラス枠ユニット５を施錠装置６で施錠可能にする。  また、ガラス枠ユニット５の下方部分には上皿７１等を設けた上受皿ユニット７を設け、前枠２の下方部分には下皿８１や打球の飛距離を調整する操作ハンドル８２等を設けた下受皿ユニット８を設ける。
また、上記前枠２の窓部には遊技盤９を後方から臨ませる。この遊技盤９は、後述する機構枠体１０に形成した遊技盤載置台１８の上に載置され、リヤプレート１０１に設けた遊技盤受部材１８１及び遊技盤ロック部材１８２によって両側縁を支持することによって交換自在に取り付けてある。
【００１１】
前枠２の背面側にはリヤプレート１０１等からなる機構枠体１０を設ける。該機構枠体１０には賞球を貯留しておく上タンク１０２及び下タンク１０３、パチンコ機１と外部の電源や管理装置とを接続すると共にパチンコ機内部の遊技制御装置１０４及び本体制御装置１０５並びに諸電気部材を接続する中継装置１０６、入賞口へ入賞した入賞球を処理する入賞球処理装置１０７、該入賞球処理装置１０７からの信号に基づいて所定数の賞球を排出する払出装置１０８等を取り付ける。
また、図示していないセンター役物の後方部分を覆うリヤカバー１１０を装着する。更に、上記リヤプレート１０１には、セーフ球寄せ１７１や球集合部１７２を有するリヤ部材を設けて機構枠体１０を構成する。
【００１２】
本発明に係る蝶着装置４は、上記したように前枠２を外枠３に対して開閉可能に蝶着するためのものであって、その概略は、外枠３と前枠２の一側縁を開閉自在に蝶着する上下２組の蝶着体４０，４１からなり、両蝶着体４０，４１は、外枠３に止着する上固定部材４０ａ及び下固定部材４１ａと、前枠２に止着する上回動部材４０ｂ及び下回動部材４１ｂとを有し、上下蝶着体４０，４１の何れか一方の固定部材、例えば上固定部材４０ａには、縁部に向けて開口する受入溝４０１と上支軸ピン４０２を形成すると共に、上記受入溝４０１に重合可能な係合溝４２１と誘導溝４２２を形成したロック部材４２を、上記上支軸ピン４０２により回動自在に軸着し、上記ロック部材４２と上固定部材４０ａとの間に付勢手段を設けて、当該ロック部材４２を受入溝４０１を封止する方向に付勢し、上記上固定部材４０ａに対応する上回動部材４０ｂには、前枠２の回動支軸４３及びロックピン４４を形成し、前記受入溝４０１と係合溝４２１とにより前記回動支軸４３を回動自在に軸支すると共に、前記誘導溝４２２にはロックピン４４を誘導するようにして、蝶着体４０，４１の他方と共に回動自在に蝶着するものとしてある。
【００１３】
次に、蝶着装置４の詳細を説明すると、図７はこの蝶着装置４の一方を設けた前枠２の正面図及び右側面図であって、図８は蝶着部分の詳細を示し、（Ａ）は図７のＡ部の平面図、（Ｂ）は同上の正面図、（Ｃ）は図７のＢ部の正面図である。また、図９は上蝶着体４０を示し、（Ａ）は上回動部材４０ｂの平面図、（Ｂ）は上固定部材４０ａの平面図であり、図１０は上蝶着体４０の組立図、図１１はロック部材４２を示し、（Ａ）は平面図、（Ｂ）は縦方向の断面図、（Ｃ）は側面図、（Ｄ）は横方向の断面図、（Ｅ）は底面図を示す。そして、図１２はロック部材４２の動作を示す説明図である。
【００１４】
上蝶着体４０は、木材を矩形に枠組してなる外枠３の上横枠３１ａと左縦枠３１ｂとが接合される上側左側縁部分に止着する上固定部材４０ａと、前枠２の上側左側縁部分に止着する上固定部材４０ｂとからなる。
【００１５】
上記上固定部材４０ａは、例えば、図９（Ｂ）に示すように、ほゞＬ字状に屈曲する金属製の部材であって、上面板が外枠３の前縁よりも延出し、後述するロック部材４２を回動自在に軸着するための上支軸ピン４０２及び回動を案内するためのガイドピン４０３が設けてある。
【００１６】
また、上面板の前縁には、後述する前枠２の回動支軸４３を受入れるように、前縁に向けて開口するほゞＵ字状の受入溝４０１を設ける。更に、この蝶着体４０を覆い隠すためのヒンジカバー４５の取付孔４０５及びガイド孔４０６が設けてある。
【００１７】
上記上固定部材４０ａに回動自在に軸着するロック部材４２は、図１１に示すように、ほゞ円盤状の部材であって中央に支持軸孔４２３を有し、上記ガイドピン４０３を遊嵌するガイド長孔４２４を備えると共に、受入溝４０１に対応する鈎状の係合溝４２１を縁部に備えている。尚、係合溝４２１の先端は爪状の係止爪４２５となっている。
【００１８】
また、ロック部材４２には、後述する上回動部材４０ｂに突設するロックピン４４を誘導する誘導溝４２２を弓形に形成すると共に、後述する付勢手段のバネ受ピン４２６を設ける。更に、上記ガイド長孔４２４の一端にストッパ部４２７を形成する。尚、このロック部材４２には、適宜にリブないし厚肉部を設けて所望の高さとしている。
【００１９】
上記のようなロック部材４２は、上固定部材４０ａの上支軸ピン４０２を支持軸孔４２３に挿通すると共に、ガイドピン４０３をガイド長孔４２４に遊嵌している。上記両ピン４０２，４０３は上固定部材４０ａにカシメられている。
【００２０】
そして、このロック部材４２と上固定部材４０ａとの間には、当該ロック部材４２の係止爪４２５で上固定部材４０ａの受入溝４０１を封止する方向に付勢する付勢手段を設ける。この付勢手段は、図示の実施形態によれば、上支軸ピン４０２を中心にすると共に、ガイドピン４０３とバネ受ピン４２６との間に係止させたスプリング４６によって構成してある。
【００２１】
従って、ロック部材４２は、上記スプリング４６の作用によって、図９の矢印Ａ方向に付勢され、通常は、ロック部材４２の係止爪４２５が上固定部材４０ａの受入溝４０１を封止することになる。
【００２２】
前枠２の上端面に止着する上回動部材４０ｂは、前枠２の前端よりも延出した位置に、回動支軸４３を突設すると共に、上記ロック部材４２の誘導溝４２２に陥入するロックピン４４が突設してある。また、図示の実施形態では、ガラス枠ユニット５のスライドピン５５２を挿通する通孔４０７が開設してある。
【００２３】
一方、下蝶着体４１は、前枠２の左側下部に止着する下回動部材４１ｂと、外枠３の左側下部に止着する下固定部材４１ａとからなり、下回動部材４１ｂには下固定部材４１aの下回動支軸を挿通する下軸孔４１１が開設してある。この下軸孔４１１は、上記下回動支軸を挿通し易くするためのテーパー４１１Ａが形成されている。
【００２４】
次に、上記のような構成の蝶着装置４による前枠２の外枠３に対する組付及びその作用を説明する。
【００２５】
組付作業は極めて容易であって、前枠２を適宜な角度開放した状態で、下固定部材４１ａの下回動支軸４１２を、下回動部材４１ｂの下軸孔４１１に挿通すると共に、上回動部材４０ｂの上回動支軸４３を上固定部材４０ａの受入溝４０１に臨ませて、ロック部材４２の係止爪４２５に当接させる。そして、上回動支軸４３を受入溝４０１内に押し込む。すると、係止爪４２５がカム状に作用してロック部材４２がスプリング４６の付勢に抗して図９の矢印Ｂ方向に回動し、上回動支軸４３を受入溝４０１内に受け入れる。この受け入れた状態では、ロック部材４２がスプリング４６の付勢によって矢印Ａ方向に回動して、係止爪４２５が受入溝４０１の入口を封止すると共に、上回動支軸４３が係止爪４２５の内側に係止することになる。即ち、上回動支軸４３も回動自在に軸着される。
【００２６】
上記のような状態では、前枠２が開放したままであるし、ロック部材４２が回動すると、上回動支軸４３が外れて危険である。そこで、本発明の蝶着装置４においては、前枠２を閉止した状態では、ロック部材４２の回動が阻止されるように構成してある。
【００２７】
即ち、前枠２を図９の矢印Ｃ方向に回動させると、上回動部材４０ｂに突設したロックピン４４がロック部材４２の誘導溝４２２に陥入する（図１２参照）。この状態では、ロックピン４４が誘導溝４２２の内壁に当接するので、ロック部材４２は回動できない。
【００２８】
一方、ロックピン４４が誘導溝４２２から外れる位置まで（例えば図１２に破線で示す位置）前枠２を開放すると、ロック部材４２の回動が可能になる。即ち、この状態において、係止爪４２５の基部に設けたロック解除用操作突部４２８を操作して、ロック部材４２を矢印Ｂ方向に回動させれば、受入溝４０１の入口から係止爪４２５が退避するので、上回動支軸４３を外すことができる。
【００２９】
上記のような蝶着装置４によれば、下固定部材４１ａの下回動支軸４１２を下回動部材４１ｂの下軸孔４１１に挿入した状態で、上回動支軸４３を上固定部材４０ａの受入溝４０１に挿入することができ、上下の回動支軸４３，４１２をほゞ同時に軸孔に挿入する必要がなく、組付作業が極めて容易である。また、離脱も極めて容易であって、ロック部材４２を回動させた状態で、前枠２を単に手前へ若干引き出せばよい。従って、従来のように重い前枠２を上方へ持ち上げる必要がない。しかも、上記ロック部材４２は、前枠２を所定の位置まで開放した状態でないと回動できないので、遊技中に誤って操作突部４２８に触れてもロック部材４２が回動しないので上回動支軸４３が離脱することがない。従って、前枠２が外れる恐れがなく安全である。
【００３０】
上記のような蝶着装置４は、図１３以下に説明するようなパチンコ機１に適用できる。即ち、このパチンコ機１は、前枠２が合成樹脂によって形成してあり、外枠３は木材を枠組して形成してある。
【００３１】
外枠３は、所定の大きさの木板からなる上横枠３１ａと左縦枠３１ｂと下横枠 ３１ｃと右横枠３１ｄとを、矩形に枠組して構成する。また、下横枠３１ｃの上面には下横桟部材３２を横架してある。そして、上記上横枠３１ａと左縦枠３１ｂとを接合する上側左側縁部分には上蝶着体４０を構成すると共に補強部材を兼ねる上固定部材４０ａを設ける。
【００３２】
一方、左縦枠３１ｂと下横桟部材３２とが衝接する部分には、下蝶着体４１を構成する下固定部材４１ａを設ける。また、上横枠３１ａと右縦枠３１ｄが衝接する部分の内側、右縦枠３１ｄと下横枠３１ｃが衝接する部分の内側、及び左縦枠３１ｂと下横枠３１ｃが
衝接する部分の内側には、夫々補強金具３３を設ける。また、各枠材３１ａ，３１ｂ，３１ｃ，３１ｄを互いに接続する部分には、ダボ３４が埋め込んである。
【００３３】
下横桟部材３２の前面には後述する外枠下カバー３５の後面に設けたリブ３５１を受け入れる切込溝３２１が適宜間隔で設けてある。また、下横桟部材３２の両側端付近には、上記外枠下カバー３５を止着するための外枠下カバー取付孔３２２が開設してある。
【００３４】
上記下横桟部材３２の上面には、前枠２を開閉するときに、下端面が下横桟部材３２の上端面と摺接するときの摩擦を軽減し、下横桟部材３２の破損を防止する金属製の前枠支持片３２３が適所に止着してある。一方、この前枠支持片３２３に対応する前枠擦れ止め金具３２３Ａが、後述する前枠基板２１の下縁に取り付けてある。
【００３５】
外枠下カバー３５は合成樹脂で一体成型した部材であって、上記下横桟部材３２の前面を覆う。即ち、下受皿ユニット８の下方に位置する装飾部材である。尚、この外枠下カバー３５の一側には、下蝶着体４１を覆うヒンジカバー部３５１Ａが形成してある。
【００３６】
更に、上記各枠材３１ａ，３１ｂ，３１ｃ，３１ｄの所望の部位は、適宜な形状の逃げ部が形成してある。例えば、左縦枠３１ｂは、図６に示すように、前端面側を傾斜状に切り欠いて、前枠２を回動した際の逃げ部３９が形成してある。そして、この逃げ部３９に対応する不正防止突部２１１Ａが前枠基板２１の裏面側に突設してある。
【００３７】
上記のような構成の外枠３に対して開閉可能に蝶着される前枠２は、図１８に示すように、前枠基板２１、ガラス枠ユニット５、上受皿ユニット７、下受皿ユニット８、及び機構枠体１０等を主な構成要素とする。
【００３８】
蝶着装置４を取り付けると共に、ガラス枠ユニット５、上受皿ユニット７、下受皿ユニット８、及び機構枠体１０を取り付ける前枠２のフレームとなる基板２１は、ほゞ矩形の窓部２１０を有する合成樹脂製の額縁状の枠体である。
【００３９】
この前枠基板２１の周縁部には、前面側に向けて起立する不正防止用リブ２１１が設けられ、このリブ２１１の外側に後述するガラス枠ベース本体５１のリブ５１Ｂが重合する。
【００４０】
前枠基板２１の一側には、前記した蝶着装置４の上回動部材４０ｂを上ヒンジ取付板２１２を介して取り付けると共に、下回動部材４１ｂを下ヒンジ取付板２１３を介して取り付ける。
【００４１】
上記窓部２１０の下方の受皿ユニット８に対応する部分には下板部２２を形成する。この下板部２２は、額縁状の前枠基板２１の下方部分を封止しているが、下皿８１に上皿７１から溢れた賞球を誘導する賞球連絡口２２１が開設してある。また、後述する発射装置の打球発射勢を調整するハンドル８２の配線を通す配線挿通孔２２２を計８箇所に開設する。
【００４２】
上記下板部２２の上縁のほゞ中央部分には、賞球払出装置１０８から払い出される賞球の連絡樋２２４を取り付けるための賞球連絡樋取付孔２２５を開設した延出片２２５が設けてある。
【００４３】
前枠基板２１の蝶着側の左縦枠部分２３には、機構枠体１０を構成するリヤプレート１０１の一側を装着するためのリヤプレート挿入溝２３１を形成する。また、この左縦枠部分２３の中段にはガラス枠下ヒンジ部材２３２を設け、該ガラス枠下ヒンジ部材２３２にはガラス枠回動支軸孔２３３を開設する。更にこの左縦枠部分２３には、後述するガラス枠ベース本体５１が回動したときの逃げ部２３Ｃが円弧状に設けてある（図６参照）。
【００４４】
一方、右縦枠部分２４には、ガラス枠施錠装置６１を設ける。このガラス枠施錠装置６１は、上下に後述するガラス枠のロック片が係止するロック部６１１が設けてある。また、上記ロック部６１１を開口するためのロック解除レバー６１２がバネによって付勢された状態で装着してある。
【００４５】
また、この右縦枠部分２４のほゞ中程に開設した開口部２４１には、施錠装置６を構成するシリンダ鍵６２を挿通して装着する。このシリンダ鍵６２は前枠２及びガラス枠を施錠及び解錠するための回動片６２１を備える。そして、上記シリンダ鍵６２の前面には、鍵飾り６３及び鍵飾りカバー６４を設ける。尚、鍵飾り６３の凹溝部６３Ａにガラス枠ベース本体５１のリブ５１Ｂが重合して不正防止を行っている。
【００４６】
更に、右縦枠部分２４の下方部位には、回動可能に軸着した上受皿ユニット７の自由端を受け止める上受皿ユニットロック部材７８を設ける。この上受皿ユニットロック部材７８は、ロック用の孔７８１を開設した金属板であり、取付ネジによって所定の位置に止着してある。
【００４７】
そして、この前枠基板２１の適所には、位置決めボス或いは位置決め孔等の位置決め手段が形成してある。即ち、例えば、図示していないが上横枠部分２５及び右縦枠部分２４の裏面側の適所には、リヤプレート１０１を位置決めするための位置決めボスが突設してある。
【００４８】
上記のような前枠基板２１の裏面側に装着するリヤプレート１０１は、例えば、０．８ミリ厚の鉄板を成型したものであって、一側に上記前枠基板２１に設けたリヤプレート挿入溝２３１に装入する装入片１１１を延設すると共に、対辺側には取付ネジ１２０によって止着するための右装着片１１２を延設する。また、上辺側にも上装着片１１３が延設してある。
【００４９】
上記右装着片１１２は施錠装置６の逃げ部１１４によって上下に分断されている。また、この右装着片１１２及び上装着片１１３の適所には、前記した前枠基板２１に設けた位置決めボスに対応する位置決め孔１１５及び取付ネジ１２０を通すための取付孔１１６が開設してある。
【００５０】
上記のように、リヤプレート１０１の一側に形成した装入片１１１を、前枠基板２１に形成したリヤプレート挿入溝２３１に装入すると共に、他側の装着片１１２，１１３を取付ネジ１２０で取り付けるときは、位置決め及び装着が容易になる。
【００５１】
上受皿ユニット７は、前枠基板２１に対して開閉可能に軸着する。この上受皿ユニット７に上皿７１を形成すると共に、該上皿７１の上流部分に連通する賞球受樋７２を設ける。尚、この賞球受樋７２は、賞球払出装置１０８の賞球排出樋１０９に連絡する。
【００５２】
上受皿ユニット７のベース基板７３の上縁部分には、前面側に向けて開口する不正防止溝７３１が形成してあり、後述するガラス枠ベース本体５１に形成されている不正防止用のリブ５１７Ａが挿入される。また、このベース基板７３には、上記賞球受樋７２から賞球を上皿７１に導入する賞球導入口７３２が設けてある。
【００５３】
上皿７１は、ベース基板７３と一体に形成した前面カバー７１１を有し、この前面カバー７１１には、後述するガラス枠ユニット５に設けたランプカバー５３と連続的な意匠になるような上皿ランプカバー７４及び上皿飾りカバー７４１が設けてある。また、この上皿ランプカバー７１の端部には、上皿７１の貯留球を下皿８１に排出するための球抜きボタン７５が設けてある。
【００５４】
また、前面カバー７１１の上皿７１の下側に位置する部分には、スリット状のスピーカー用開口部７６を形成し、図示していないスピーカーを臨ませ、効果音等を放声する。
【００５５】
更に、ベース基板７３の適所、図示の実施形態によれば、スピーカー用開口部７６の近隣には、タッチスイッチ７７を裏面側からビス止めしてある。このタッチスイッチ７７は、例えば図柄表示装置の回転図柄を停止する場合など、遊技に利用する。
【００５６】
そして、上記ベース基板７３の蝶着部分には、ガラス枠ユニット５に設ける上皿セット用ヒンジピン５６２を挿通する回動支軸孔７３３が設けてある。また一方、自由端側の裏面には、図示していないが、上受皿ユニット開閉部材が設けてある。この上受皿ユニット開閉部材は、上下動可能な係止片を備え、該係止片が上受皿ユニットロック部材７８のロック用の孔７８１に係合する。そして、上記上受皿ユニット開閉部材を押下することによって係合を外せば、上受皿ユニット７を開放することができる。尚、この上受皿ユニット開閉部材は、ガラス枠ユニット５を開放した状態でないと操作することができない。
【００５７】
下受皿ユニット８は、前記した前枠基板２１の下方部分に固定状に止着される。このため、下受皿ユニット８のベース部８３の裏面側には、前記前枠基板２１に設けた下皿取付孔２２３に係合する係合部材を対応位置に設けてある。また、上記上受皿ユニット７を軸着するための回動支軸孔８３１がベース部８３の一側上端面に開設してあり、付勢部材により付勢された上皿セット用ヒンジピン（図示せず）が挿入される。尚、上受皿ユニット７を外す場合は、手動にて上記図示していないヒンジピンを上動して前記回動支軸孔８３１より抜けばよい。
【００５８】
上記ベース部８３には、飛距離調整用のハンドル８２を取り付ける取付部８４が設けてあり、この取付部８４には、配線挿通孔８４１が開設してある。上記ハンドル８２は、打球の飛距離を調整するための可変抵抗器等が収設してあり、抵抗値の変化により打球発射装置のソレノイド１９に供給する電力を調整して飛距離を調整するようになっている。従って、従来のハンドルのように、バネの張力を調整する回動軸等を必要としない。尚、上記ソレノイド１９は、遊技盤載置台１８に止着してある。また、上記ソレノイド１９の発射前方には、遊技盤載置台１８に設けた発射レール１９１が臨んでいる。
【００５９】
下受皿ユニット８のベース部８３には下皿８１を一体に形成する。また、この下皿８１の後壁部分、即ちベース部８３の一部には、当該下皿８１に上皿７１の球を導入するため、前記した賞球連絡口２２１に連通する賞球出口８７が開設してある。更に、この下皿８１の底部には球抜き装置８５を設けて、下皿８１に貯留した球をパチンコ機の下方に載置した球受箱に排出可能とする。尚、球抜き装置８５は球抜きレバー８５１を備えている。
【００６０】
また、下受皿ユニット８には、下皿８１に隣接して灰皿８６が設けてある。そして、この下受皿ユニット８にも、パチンコ機全体として連続した意匠となるような下皿飾りカバー８８が設けてある。
【００６１】
次に、パチンコ機１に特徴的な意匠を与えるガラス枠ユニット５について説明する。このガラス枠ユニット５は、図２１に示すように、ガラス枠ベース本体５１と、ガラスレール枠５２と、ランプカバー５３を主な構成部材とする。
【００６２】
ガラス枠ベース本体５１は、窓部５１１を有する額縁状且つ曲面状に合成樹脂により一体成型された部材であって、上方部分が前方にせり出している。また上記窓部５１１の周囲には、後述するランプ群を収設する機能空間部５１２を形成するように適度に膨出する。また、この機能空間部５１２には、例えば、ランプ孔５１３や係止孔５１４を設ける。また、ランプ開口孔５１５を設けてランプ基板５１６を臨ませる。更に、この機能空間部５１２には、説明していない開口部や取付部が適宜設けてある。そして、ガラス枠ベース本体５１の下縁には、不正防止用の溝及びリブ５１７Ａが形成してある。尚、このガラス枠ベース本体５１の一側には、施錠装置６が臨む凹状空部５１９が設けてある。
【００６３】
また、ガラス枠ベース本体５１の上側一隅には、ガラス枠蝶着部５１７が形成してある。このガラス枠蝶着部５１７には、上ガラス枠ヒンジ５５を装着する。
【００６４】
上ガラス枠ヒンジ５５は、スプリング５５１で付勢されるスライドピン５５２を有すると共に、基板部５５３を備える。この上ガラス枠ヒンジ５５を、ガラス枠ベース本体５１の裏面側に基板部５５３でネジ止めする。すると、上記スライドピン５５２がスプリング５５１の付勢で突出可能となる。
【００６５】
一方、ガラス枠ベース本体５１の下側一隅には、下ガラス枠ヒンジ５６を設ける。このガラス枠ヒンジ５６は、下向に突出する上皿セット用ヒンジピン５６２を備えている。
【００６６】
ガラス枠ベース本体５１の裏面側の適宜位置には、補強リブ５９１が適宜に形成してあり、当該ガラス枠ベース本体５１のねじれ等を防止している。また、上記したように、裏面側にはランプ基板５１６等が爪部材５９２によって止着してある。また、一隅にはランプ基板を兼ねるランプ用中継基板５１６ａが設けてあり、この中継基板５１６ａを介して各ランプの点灯、点滅を制御している。尚、５１６ｂはランプ用中継基板５１６ａに設けられている配線コネクタである。
【００６７】
そして、ガラス枠ベース本体５１の裏面側には、ガラス枠レール５２を回動可能に軸着してある。このため、ガラス枠レール用ヒンジ５８が設けてある。即ち、ガラス枠レール用ヒンジ５８ａは、ヒンジピン５８１を上向きに備える。また、下側のカラス枠レール用ヒンジ５８ｂは、上記下ガラス枠ヒンジ５６と一体に形成してあり、上向きに突出するヒンジピン５６１を備える。
【００６８】
ガラス枠レール５２は、図２３に示すように、正面図の形状がほゞ正方形の金属製の枠体であって、２枚のガラス５０を側方から装着可能なように、一側方が開放すると共に、他側に上記ヒンジ５８ａ及びヒンジ５８ｂに対応するヒンジ片５２１ａ，５２１ｂが設けてある。これらのヒンジ片５２１ａ，５２１ｂは、金属板、例えばステンレス板を屈曲成型したもので、前記ヒンジピン５８１及び５６１に対応するヒンジ孔を有する。そして、上記ヒンジ片５２１ａ，５２１ｂは、同じくステンレス材からなるガラス枠レール本体５２２にスポット溶接してある。
【００６９】
ガラス枠レール本体５２２は、上ガラス枠レール５２２ａ、下ガラス枠レール５２２ｂ、右ガラス枠レール５２２ｃ、左ガラス枠レール５２２ｄを、互いに直角に接合して構成してある。そして、三方のガラス枠レール、即ち上ガラス枠レール５２２ａ、下ガラス枠レール５２２ｂ、右ガラス枠レール５２２ｃは、夫々内向きに２条のガラス装着溝５２３を備えている。また、上下のガラス枠レール５２２ａ、５２２ｂには、一対の弾性片５２４ａ，５２４ｂを有するガラス押圧バネ部材５２４を、夫々一組宛に上記ガラス装着溝５２３内にスポット溶接してある。
【００７０】
一方、左ガラス枠レール５２２ｄは、左側からガラス５０を装着可能なように開放しているため装着溝を備えていない。しかし、このガラス枠レール本体５２２をガラス枠ユニット５のベース本体５１に装着したときに、後述するガラス枠レールロック片５４に係合する係合突部５２５が設けてある。
【００７１】
ガラス枠レールロック片５４は、ガラス枠レール本体５２２に装着したガラス５０が抜け出ないように押えると共に、当該ガラス枠レール本体５２２をガラス枠ベース本体５１に回動可能に装着したときに、回動を停止させるためのものである。
【００７２】
即ち、上記ガラス枠レールロック片５４は、例えば図２４ないし図２７に示すように、ベース本体５１に止着ビス５１０を止着するガラス枠錠受兼ロック片軸受部材５７に回動自在に装着する部材である。このガラス枠レールロック片５４は、胴部５４１の側縁にコ字状に対向する側腕部５４２，５４２の間に、弾性片５４３を延設し、該弾性片５４３の先端部には、前記した左ガラス枠レール５２２ｄに設けた係合突部５２５に嵌合する係合凹部５４４を形成してなる。また、上記一対の側腕部５４２，５４２にはピン孔５４５が開設してある。
【００７３】
一方、上記ガラス枠錠受兼ロック片軸受部材５７は、ガラス枠ベース本体５１に止着する取付基板５７１からストッパ部５７２が延出すると共に、上記ガラス枠レールロック片５４を挿着する支軸ピン５７３が起立している。尚、この支軸ピン５７３は上記取付基板５７１に例えばカシメ手段によって形成してある。また、取付基板５７１には位置決め孔５７４が開設してあり、ガラス枠ベース本体５１の位置決めボス５１８に嵌合する。また、取付基板５７１には、上記止着ビス５１０を通す取付孔５７５が開設してある。
【００７４】
そして、上記ガラス枠レールロック片５４のピン孔５４５に、上記支軸ピン５７３を挿通して先端部にＥリングを装着して、当該ガラス枠レールロック片５４をガラス枠錠受兼ロック片軸受部材５７に回動自在に組み付けてある。
【００７５】
ガラス枠レール５２をガラス枠ベース本体５１の上ヒンジ５８ａ及びヒンジ５８ｂに軸着後、上方への離脱を防止する上動防止部材５８２が止着ビス５８３により取り付けてある。
【００７６】
上記のようなガラス枠レール５２におけるガラス５０の装着は、当該ガラス枠レール５２をガラス枠ベース本体５１からガラス枠ヒンジ５５，５６を支点に回動させた状態において、上記左ガラス枠レール５２２ｄからガラス５０を上下のガラス枠レール５５２ａ，５５２ｂのガラス装着溝５２３に挿入すると共に、右ガラス枠レール５５２ｃのガラス装着溝５２３の底部に当接させる。そして、ガラス枠レール５２を戻り回動させて、図２４に示すようにガラス枠レールロック片５４が回動した状態にあるガラス枠ベース本体５１に、ガラス枠レール５２を戻り回動させて密接させて、ガラス枠レールロック片５４を図２５に示すように回動させる。すると、ガラス枠レールロック片５４に設けた弾性片５４３の先端部の係合凹部５４４が、前記した左ガラス枠レール５２２ｄに設けた係合突部５２５に嵌合して、当該ガラス枠レールロック片５４がロックされると共に、側腕部５４２，５４２の端面５４２Ａが２枚のガラス５０の端面に夫々臨んで、当該ガラス５０がガラス装着溝５２３から抜け出すのを防止する。また、ガラス装着溝５２３に挿入したガラス５０は、ガラス押圧バネ部材５２４によって狭着されている。従って、ガラス５０がガラス枠レール５２から外れる恐れはない。
【００７７】
ガラス枠ベース本体５１の前面側には、ランプカバー５３を設ける。このランプカバー５３は、窓部５１１の上縁に沿って設けた天ランプカバー５３１と、左側縁に沿って設けた左ランプカバー５３２と、右側側縁に沿って設けた右ランプカバー５３３とからなる。また、ランプカバー５３は、上受皿ユニット７の上皿ランプカバー７４及び上皿飾りカバー７４１並びに下受皿ユニット８の下皿飾りカバー８８と連絡して、パチンコ機全体を統一したデザインとしている。
【００７８】
天ランプカバー５３１は、天板部分を構成するカバー体５３１ａと、前面板部分を構成するカバー体５３１ｂと、底板部分を構成するカバー体５３１ｃとからなり、色違いに一体成型してある。
【００７９】
また、右ランプカバー５３３は、中程に施錠装置６を避ける凹陥部５３３ａが形成してあり、この凹陥部５３３ａには、組立状態のとき、前記した鍵飾り６３及び鍵飾りカバー６４が臨む。
【００８０】
上記した天ランプカバー５３１，左ランプカバー５３２，右ランプカバー５３３は、各ランプカバーに設けた係止爪５３１１，５３２１，５３３１を、ガラス枠ベース本体５１に設けた係止孔５１４に係合させることにより取り付けている。
【００８１】
そして、上記各ランプカバー５３１，５３２，５３３とガラス枠ベース本体５１とが形成する機能空間５１２には、ランプ基板５１６に装着したランプＬを配置する。
【００８２】
次に、上記した各部材の組立方法ないし開閉方法の説明を簡単に行う。先ず、ガラス枠レール５２を一側上下に設けたヒンジ片５２１ａ，５２１ｂと上ヒンジ５８ａ及び下ヒンジ５８ｂとを軸着してガラス枠ベース本体５１に対して回動可能とする。また、このガラス枠レール５２を、ガラス枠レールロック片５４の回動によってガラス枠ベース本体５１に対して固定し、ガラス枠ユニット５を構成する。
【００８３】
上記のように構成したガラス枠ユニット５を、一側に設けた上ガラス枠ヒンジ５５のスライドピン５５２、及び下ガラス枠ヒンジ５６のヒンジピン５６２により、前枠基板２１に対して回動自在に軸着する。尚、上記ヒンジピン５６２は上受皿ユニット７の軸着ピンと兼用になっている。
【００８４】
上記ガラス枠ユニット５は、ガラス枠施錠装置６１に設けたロック部６１１に、ガラス枠錠受兼ロック片軸受部材５７のストッパ部５７２が係合してロックされる。一方、上記ロックを解除してガラス枠を開放するには、施錠装置６のシリンダ鍵６２に鍵を差し込んで回動片６２１を回すことにより上記ロック部６１１の係合を解除してもよいし、前枠２が開放された状態にあれば、ロック解除レバー６１２を押下することにより解除できる。尚、このガラス枠ユニット５は、上記ガラス枠ヒンジ５５のスライドピン５５２を下向にスライドさせることにより、前枠基板２１から外すことができる。
【００８５】
上受皿ユニット７は、図示していない下側ヒンジと共に、回動支軸孔７３３にガラス枠ユニット５に設けた上皿セット用ヒンジピン５６２を挿通して前枠基板２１に対して開閉可能に軸着する。一方、自由端側は、図示していない上受皿ユニット開閉部材によってロック可能とする。この上受皿ユニット開閉部材は、上下動可能な係止片を備え、該係止片が上受皿ユニットロック部材７８のロック用の孔７８１に係合する。そして、上記上受皿ユニット開閉部材をガラス枠ユニット５を開放した状態において、押下することによって係合を外せば、上受皿ユニット７を開放することができる。尚、この上受皿ユニット開閉部材は、ガラス枠ユニット５を開放した状態でないと操作することができない。
【００８６】
そして、下受皿ユニット８は、前枠基板２１の下方部分に図示していない係合部材によって固定状に止着される。
【００８７】
上記のようにして組み立てた前枠２を、前記した蝶着装置４によって、外枠３に対して開閉可能に蝶着する。そして、この前枠２は施錠装置６によって施錠可能である。即ち、外枠３の右縦枠３１ｄに設けた前枠ロック金具３８に、前枠２のリヤプレート１０１に設けた連動部材２９の前枠開放レバー２９１の鍵型係合部２９２が係合する。尚、この前枠開放レバー２９１は、施錠装置６に鍵を差し込んで一方へ旋回させたときに、当該連動部材２９が可動して上記係合が外れるように構成してあり、他方へ旋回させたときには、ガラス枠ベース本体５１が開放するように構成してある。
【００８８】
上記のような構成のパチンコ機１によれば、前枠２を合成樹脂によって形成することができるばかりではなく、自由な意匠のパチンコ機を提供可能である。また、合理的な部品構成及び配置によって、組立が容易になると共に作業能率が向上する。しかも、日常の点検や部品の好漢も容易である。そして、上記合成樹脂製の前枠２によれば、木材の使用量を削減可能であるので自然環境の保護にも寄与することができ、実用的価値が極めて高い。
【００８９】
以上本発明を図面の実施形態について説明したが、本発明は上記した実施形態に限定されるものではなく、特許請求の範囲に記載した構成を変更しない限り適宜に実施できる。
以上要するに本発明によれば、窓部を有した額縁状の前枠の一側を外枠に対して蝶着装置を介して開閉可能に蝶着し、上記窓部の上方部分にはガラスを装着したガラス枠ユニットを開閉可能に軸着し、上記前枠及びガラス枠ユニットを施錠装置で施錠可能にすると共に、上記ガラス枠ユニットの下方部分には上皿を設けた上受皿ユニットを設け、上記前枠の下方部分には下皿及び打球の飛距離を調整する操作ハンドルを設けた下受皿ユニットを設けたパチンコ機において、上記前枠は、窓部を有する合成樹脂製の枠体からなる前枠基板と、ランプカバーを設けた膨出する機能空間部を形成したガラス枠ユニットと、飾り部材を有する上受皿ユニットと、飾り部材を有する下受皿ユニットと、を構成要素としてなり、上記ガラス枠ユニットと上受皿ユニットと下受皿ユニットとを、上記ランプカバー及び各飾り部材により連続的な統一された意匠となるようにしたので、前枠を合成樹脂によって形成することができるばかりではなく、自由な意匠のパチンコ機を提供可能である。また、合理的な部品構成及び配置によって、組立が容易になると共に作業能率が向上し、しかも日常の点検や部品の交換も容易である。そして、合成樹脂製の前枠によれば、木材の使用量を削減可能であるので自然環境の保護にも寄与することができ、実用的価値が極めて高い。
【図面の簡単な説明】
【００９０】
【図１】パチンコ機の正面図。
【図２】パチンコ機の平面図及び底面図。
【図３】パチンコ機の左側面図及び右側面図。
【図４】パチンコ機の背面図。
【図５】図１のＡ−Ａ線断面図。
【図６】図１のＢ−Ｂ線断面図。
【図７】前枠の正面図及び右側面図。
【図８】蝶着部分の詳細を示し、図（Ａ）は図７のＡ部の平面図、図（Ｂ）は同上の正面図、図（Ｃ）は図７のＢ部の正面図。
【図９】上蝶着体を示し、図（Ａ）は回動部材の平面図、図（Ｂ）は上固定部材の平面図。
【図１０】上蝶着体の組立図。
【図１１】ロック部材を示し、図（Ａ）は平面図、図（Ｂ）は縦方向の断面図、図（Ｃ）は側面図、図（Ｄ）は横方向の断面図、図（Ｅ）は底面図。
【図１２】ロック部材の動作を示す説明図。
【図１３】パチンコ機の斜視図。
【図１４】パチンコ機の前枠及び外枠の斜視図。
【図１５】外枠の正面図。
【図１６】外枠の右側面図及び左側面図。
【図１７】外枠の平面図及び底面図。
【図１８】前枠の分解斜視図。
【図１９】ガラス枠の正面図及び底面図。
【図２０】ガラス枠の背面図及び一部欠截側面図。
【図２１】ガラス枠ユニットの分解斜視図。
【図２２】図１９のＡ−Ａ線断面図。
【図２３】ガラス枠レールの正面図、左側面図、Ａ−Ａ線端面図、及びガラス押圧バネ部材の斜視図。
【図２４】ガラス枠レールロック片の動作説明図であって、未ロック状態を示す。
【図２５】ガラス枠レールロック片の動作説明図であって、ロック状態を示す。
【図２６】図２５のＡ−Ａ線断面図。
【図２７】ガラス枠レールロック片及びガラス枠錠受兼ロック片軸受部材の斜視図である。
【符号の説明】
【００９１】
１        パチンコ機
２        前枠
３        外枠
４        蝶着装置
５        ガラス枠ユニット
６        施錠装置
７        上受皿ユニット
８        下受皿ユニット
９        遊技盤
１０      機構枠体  
２１      前枠基板
２１０    窓部
３１ａ    外枠の上の横枠  
３１ｂ    外枠の左の縦枠
３１ｃ    外枠の下の横枠
３１ｄ    外枠の右の縦枠
３２      下横桟部材
３２１    切込溝
３２２    取付孔  
３５      外枠下カバー
３５１    リブ
５０      ガラス
５１２    機能空間部
５３３ａ  凹陥部
７１      上皿
７１１    前面カバー
７４      上皿ランプカバー
７４１    上皿飾りカバー
８１      下皿
８８      下皿飾りカバー